(57)【要約】【課題】ランスでの保持力の向上を図ったコネクタを提供する。【解決手段】コネクタハウジング２には、内部に端子収容室２１が形成されている。サイドリテーナ４は、端子３の幅方向Ｙからコネクタハウジング２に装着される。サイドリテーナ４には、端子３が正規位置にないときに端子３に押されて撓んで端子３が正規位置に移動するのを許容し、端子３が前記正規位置にあるときに復元して先端が端子３に係止する片持ち梁状のランス４２２が設けられている。ランス４２２には、端子３が正規位置にないときにサイドリテーナ４の幅方向Ｙへの移動に応じて端子３を正規位置まで押し出す突起部４２２Ａが設けられ、端子３には、突起部４２２Ａが挿入され、突起部４２２Ａにより押し出される溝部３１２が設けられている。【選択図】図４
2020202074.tif 000002
【特許請求の範囲】
【請求項１】
内部に端子収容室が形成されたコネクタハウジングと、
前記端子収容室に収容される端子と、
前記端子の相手端子との嵌合方向と交差する交差方向から前記コネクタハウジングに装着されるリテーナと、を備え、
前記リテーナには、前記端子が正規位置にないときに前記端子に押されて撓んで前記端子が前記正規位置に移動するのを許容し、前記端子が前記正規位置にあるときに復元して先端が前記端子に係止する片持ち梁状のランスが設けられ、
前記ランスには、前記端子が前記正規位置にないときに前記リテーナの前記交差方向への移動に応じて前記端子を前記正規位置まで押し出すガイド部が設けられ、
前記端子には、前記ガイド部により押し出されるガイド受け部が設けられている、
コネクタ。
【請求項２】
請求項１に記載のコネクタにおいて、
前記ランスのガイド部及び前記端子のガイド受け部の一方は、突起部から構成され、他方は前記突起部が挿入される溝部から構成され、
前記突起部及び前記溝部の少なく一方が、前記交差方向に対して斜めに傾いて延びて形成されている、
コネクタ。
【発明の詳細な説明】
【技術分野】
【０００１】
本発明は、コネクタ、に関する。
【背景技術】
【０００２】
上述したコネクタとして、例えば、特許文献１に記載されたものが提案されている。上記特許文献１に記載されたコネクタは、コネクタハウジングにサイドリテーナが装着される。サイドリテーナには、端子に係止するランスが設けられ、端子の抜けを防止することができる。また、特許文献１に記載されたサイドリテーナには、端子のガタつきを抑制するために、コネクタハウジングに装着する際に端子を端子収容室の前方に押し出す傾斜面が設けられている。
【先行技術文献】
【特許文献】
【０００３】
【特許文献１】特開２０１７−５４６７４号公報
【発明の概要】
【発明が解決しようとする課題】
【０００４】
しかしながら、上述した特許文献１に記載のコネクタは、ランスでは１か所でしか端子と係止していないため、ランスの保持力が弱い、という問題があった。
【０００５】
本発明は、上述した事情に鑑みてなされたものであり、その目的は、ランスでの保持力の向上を図ったコネクタを提供することにある。
【課題を解決するための手段】
【０００６】
前述した目的を達成するために、本発明に係るコネクタは、下記［１］〜［２］を特徴としている。
［１］
内部に端子収容室が形成されたコネクタハウジングと、
前記端子収容室に収容される端子と、
前記端子の相手端子との嵌合方向と交差する交差方向から前記コネクタハウジングに装着されるリテーナと、を備え、
前記リテーナには、前記端子が正規位置にないときに前記端子に押されて撓んで前記端子が前記正規位置に移動するのを許容し、前記端子が前記正規位置にあるときに復元して先端が前記端子に係止する片持ち梁状のランスが設けられ、
前記ランスには、前記端子が前記正規位置にないときに前記リテーナの前記交差方向への移動に応じて前記端子を前記正規位置まで押し出すガイド部が設けられ、
前記端子には、前記ガイド部により押し出されるガイド受け部が設けられている、
コネクタであること。
［２］
［１］に記載のコネクタにおいて、
前記ランスのガイド部及び前記端子のガイド受け部の一方は、突起部から構成され、他方は前記突起部が挿入される溝部から構成され、
前記突起部及び前記溝部の少なく一方が、前記交差方向に対して斜めに傾いて延びて形成されている、
コネクタであること。
【０００７】
上記［１］の構成のコネクタによれば、ランスに端子を押し出すガイド部が設けられている。これにより、ランスでの通常の係止に加えてガイド部によっても係止できる。しかも、ランスにより付勢した状態で係止することもできるため、ランスでの保持力向上を図ることができる。
【０００８】
上記［２］の構成のコネクタによれば、ランスのガイド部及び端子のガイド受け部を突起部又溝部で構成されている。このため、ランスのガイド部及び端子のガイド受け部の構成を簡素なものとすることができる。
【発明の効果】
【０００９】
本発明のコネクタによれば、ランスでの保持力向上を図ったコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明のコネクタの一実施形態を示す部分分解斜視図である。
【図２】図２は、図１に示すサイドリテーナのＩ−Ｉ線断面図である。
【図３】図３は、雌端子の外観斜視図である。
【図４】図４は、（Ａ）及び（Ｂ）は、サイドリテーナ挿入途中におけるコネクタの概略正面図及び概略部分断面図である。
【図５】図５は、（Ａ）及び（Ｂ）は、サイドリテーナ装着完了時のコネクタの概略正面図及び概略部分断面図である。
【図６】図６は、図１に示すサイドリテーナの突起部が、端子を正規位置まで押し出す様子を説明するための説明図である。
【発明を実施するための形態】
【００１２】
本発明に関する具体的な実施形態について、各図を参照しながら以下に説明する。
【００１３】
コネクタ１は、図４及び図５に示すように、内部に端子収容室２１が形成された合成樹脂製の筒状のコネクタハウジング２と、端子収容室２１に収容される端子３と、コネクタハウジング２に装着されるサイドリテーナ４（リテーナ）をさらに備えている。サイドリテーナ４は、端子３と相手端子（図示せず）との嵌合方向と交差する交差方向からコネクタハウジング２に装着されて端子３を抜け止めする。
【００１４】
以下、説明では、上記嵌合方向を前後方向Ｘ、交差方向を幅方向Ｙ、前後方向Ｘ及び幅方向Ｙの双方に直交する方向を上下方向Ｚとする。なお、前後方向Ｘにおいてコネクタ１が、相手端子と近づく側を前側、相手端子と離れる側を後側とする。
【００１５】
コネクタハウジング２は、図１等に示すように、筒状のインナーハウジング２２と、インナーハウジング２２の外周面と間隔をあけてこの外周面を包囲する筒状のアウターハウジング（図示せず）と、を有する。インナーハウジング２２は、アウターハウジングの前端面よりも前方に張り出して形成される。このアウターハウジングから張り出された部分にサイドリテーナ４が装着される。
【００１６】
図４及び図５に示すように、インナーハウジング２２の内部には、端子収容室２１が設けられている。なお、本実施形態では、説明を簡単にするために１つの端子収容室２１を設けた例について説明するが、これに限ったものではない。端子収容室２１は、複数設けられていてもよい。端子収容室２１は、インナーハウジング２２の前端部に形成された挿入口２２１を介して外部に開放され、挿入口２２１から相手端子が挿入されるようになっている。
【００１７】
端子３は、図示しない電線の端末に加締め付けて接続される端子金具である。端子３は、図３に示すように、相手端子と電気的に接続される角筒状の電気接触部３１が形成されている。電気接触３１部の周壁には、外側に切り起こした切り起こし部３１１が設けられている。この切り起こし部３１１が、図５に示すように、サイドリテーナ４に設けたランス４２２の先端に係止する。また、図３に示すように、電気接触部３１の周壁には、幅方向Ｙに沿った溝部３１２（ガイド受け部）が設けられている。
【００１８】
本実施形態では、溝部３１２は、電気接触部３１の周壁を貫通して形成されている。溝部３１２は、電気接触部３１の幅方向Ｙ両端まで延在し、幅方向Ｙ両端が開口されている。サイドリテーナ４をインナーハウジング２２に装着する際に、サイドリテーナ４に設けられた後述する突起部４２２Ａ（ガイド部）が、この溝部３１２の幅方向Ｙ両端に設けた開口から溝部３１２内に挿入される。図４に示すように、端子収容室２１内に収容された端子３が正規位置にないときに、サイドリテーナ４の装着時における幅方向Ｙへの移動によって溝部３１２の側面が突起部４２２Ａに押し出されて端子３が前方の正規位置まで押し出される。
【００１９】
なお、正規位置とは、端子３の切り起こし部３１１が、サイドリテーナ４のランス４２２先端よりも前側に位置し、切り起こし部３１１とランス４２２先端とが係止する位置である。正規位置にないときは、端子３の切り起こし部３１１が、サイドリテーナ４のランス４２２先端よりも後側に位置し、切り起こし部３１１とランス４２２先端とが係止できない。
【００２０】
また、図３に示すように、電気接触部３１には、内部に挿入された相手端子を押し付けて相手端子と電気的に接続されるようになっている。また、端子３は、電気接触部３１の後方に電線端末の絶縁被覆から露出された導体を加締めて圧着する一対の導体圧着部３２と、電線端子の絶縁被覆を加締めて圧着する一対の電線圧着部３３と、を有している。
【００２１】
サイドリテーナ４は、合成樹脂から形成されている。サイドリテーナ４は、図１等に示すように、上下方向Ｚに対向する上板４１及び下板４２と、これら上板４１及び下板４２の幅方向Ｙ一方側の端部同士を連結する側板４３と、を有していて、幅方向Ｙ他方側が開口４４となる断面がＵ字状に形成されている。サイドリテーナ４は、開口４４からインナーハウジング２２を挿入して、上板４１及び下板４２によってインナーハウジング２２を上下方向Ｚから挟み込むように装着される。
【００２２】
上記上板４１の開口４４側の端部には、インナーハウジング２２と係止される係止部４１１が設けられている。係止部４１１は、上板４１の開口４４側の端部から下側に向かって突出して設けられている。また、上記下板４２には、サイドリテーナ４の幅方向Ｙの移動をガイドするレール部４２１と、端子３の切り起こし部３１１と係止するランス４２２と、が設けられている。
【００２３】
レール部４２１は、下板４２の幅方向Ｙ一端から他端に亘って設けられている。レール部４２１には、幅方向Ｙに延在し、前方及び幅方向Ｙの開口４４側に開口した溝部４２１Ａが形成されている。サイドリテーナ４の開口４４にインナーハウジング２２を挿入すると、図４及び図５に示すように、この溝部４２１Ａの幅方向Ｙの開口４４側の開口からインナーハウジング２２の前方側縁部２２２が挿入される。これにより、サイドリテーナ４の幅方向Ｙの移動をガイドすることができる。
【００２４】
ランス４２２は、レール部４２１よりも後側に設けられ、インナーハウジング２２の下面に設けた開口部２２３から端子収容室２１内に挿入される。ランス４２２は、前後方向Ｘの後側の後端が下板４２に固定され、前後方向Ｘの前側の先端が自由端となる片持ち梁状に形成されている。ランス４２２は、先端が上下方向Ｚに撓み、図４に示すように、端子３が正規位置にないときに端子３の切り起こし部３１１により下側に押されて撓んで端子３が正規位置に移動するのを許容する。また、ランス４２２は、端子３が正規位置にあるときに復元して先端が端子３の切り起こし部３１１に係止する。
【００２５】
また、ランス４２２の上面には、端子３が正規位置にないときにサイドリテーナ４の幅方向Ｙへの移動に応じて端子３を正規位置まで押し出す突起部４２２Ａが形成されている。突起部４２２Ａは、図２に示すように、下板４２の幅方向Ｙ一端から他端に亘って幅方向Ｙに対して斜めに傾いて延在する。詳しく説明すると、突起部４２２Ａは、開口４４から離れるに従って前後方向Ｘ前側に近づくように、幅方向Ｙに対して傾斜している。これにより、サイドリテーナ４を幅方向Ｙに移動させると、ランス４２２の突起部４２２Ａが端子３の溝部４２１Ａの前側の側面を押して端子３を正規位置まで押し出す。なお、本実施形態では、突起部４２２Ａの前後方向Ｘの幅Ｗ１は、溝部４２１Ａの前後方向Ｘの幅Ｗ２（図３）よりも狭くなるように設けられている。
【００２６】
次に、コネクタハウジング２にサイドリテーナ４を装着するときの動作について図４〜図６を参照して説明する。まず、コネクタハウジング２の端子収容室２１に電線が接続された端子３を挿入する。続いて、サイドリテーナ４の開口４４からインナーハウジング２２を挿入する。このとき、図４に示すように、サイドリテーナ４のレール部４２１に設けた溝部４２１Ａ内にインナーハウジング２２の前方側縁部２２２が挿入され、ランス４２２が開口部２２３から端子収容室２１内に挿入される。サイドリテーナ４内にさらにインナーハウジング２２を挿入させると、ランス４２２が端子３に到達し、図６に示すように、端子３に設けた溝部３１２の幅方向Ｙのサイドリテーナ４側の開口からランス４２２の突起部４２２Ａが挿入される。
【００２７】
このとき、端子３が正規位置になければ、図４に示すように、切り起こし部３１１が、ランス４２２先端よりも後ろ側に位置している。結果、切り起こし部３１１によってランス４２２が押し下げられる。また、端子が正規位置になければ、図６（Ａ）に示すように、溝部３１２の前側側面が突起部４２２Ａの開口４４から離れた側の端部よりも後ろ側に位置している。このため、インナーハウジング２２をさらに挿入するようにサイドリテーナ４を幅方向Ｙに移動させると、溝部３１２の前側側面が突起部４２２Ａに係止する。
【００２８】
そして、図４及び図６（Ａ）に示すように、サイドリテーナ４の幅方向Ｙへの移動に応じて、ランス４２２の突起部４２２Ａが端子３の溝部３１２の前側側面を前側に押し、端子３を正規位置に向かって押し出す。サイドリテーナ４にインナーハウジング２２をさらに挿入して、サイドリテーナ４に設けた係止部４１１によりインナーハウジング２２が係止されると、図５及び図６（Ｂ）に示すように、ランス４２２に設けた突起部４２２Ａにより端子３が正規位置まで押し出される。このとき、切り起こし部３１１がランス４２２先端よりも先端側に位置し、ランス４２２が復元してランス４２２先端と切り起こし部３１１が係止する。また、端子３が正規位置になるとランス４２２が復元するため、ランス４２２に設けた突起部４２２Ａと、端子３の溝部３１２と、はさらに深く係止する。
【００２９】
上述した実施形態によれば、サイドリテーナ４に設けたランス４２２には、端子３が前記正規位置にないときにサイドリテーナ４の幅方向Ｙへの移動に応じて端子３を正規位置まで押し出す突起部４２２Ａが設けられ、端子３には、突起部４２２Ａにより押し出される溝部３１２が設けられている。これにより、ランス４２２での通常の係止に加えて突起部４２２Ａによっても係止できる。しかも、ランス４２２により付勢した状態で係止することもできるため、ランス４２２での保持力向上を図ることができる。
【００３０】
また、上述した実施形態によれば、ランス４２２のガイド部が突起部４２２Ａで構成され、端子３のガイド受け部が溝部３１２で構成されている。ランス４２２のガイド部及び端子３のガイド受け部の構成を簡素なものとすることができる。
【００３１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
上述した実施形態によれば、端子３のガイド受け部が溝部３１２で構成されていたが、これに限ったものではない。端子３のガイド受け部としては、ランス４２２に設けた突起部４２２Ａにより押し出される形状であればよく、段部などで構成されていてもよい。
【００３３】
上述した実施形態によれば、ランス４２２のガイド部が突起部４２２Ａで構成され、端子３のガイド受け部が溝部３１２で構成されていたが、これに限ったものではない。ランス４２２のガイド部を溝部で構成し、端子のガイド受け部が溝部内に挿入される突起部で構成されていてもよい。
【００３４】
また、上述した実施形態によれば、突起部４２２Ａ及び溝部３１２のうち突起部４２２Ａのみが幅方向Ｙに対して斜めに傾けて延在していたが、これに限ったものではない。溝部３１２のみを幅方向Ｙに対して斜めに傾けて延在させてもよいし、突起部４２２Ａ及び溝部３１２の双方を幅方向Ｙに対して斜めに傾けて延在させてもよい。
【００３５】
ここで、上述した本発明に係るコネクタの実施形態の特徴をそれぞれ以下［１］〜［２］に簡潔に纏めて列記する。
［１］
内部に端子収容室（２１）が形成されたコネクタハウジング（２）と、
前記端子収容室（２１）に収容される端子（３）と、
前記端子（３）の相手端子との嵌合方向（Ｘ）と交差する交差方向（Ｙ）から前記コネクタハウジング（２）に装着されるリテーナ（４）と、を備え、
前記リテーナ（４）には、前記端子（３）が正規位置にないときに前記端子（３）に押されて撓んで前記端子（３）が前記正規位置に移動するのを許容し、前記端子（３）が前記正規位置にあるときに復元して先端が前記端子（３）に係止する片持ち梁状のランス（４２２）が設けられ、
前記ランス（４２２）には、前記端子（３）が前記正規位置にないときに前記リテーナ（４）の前記交差方向（Ｙ）への移動に応じて前記端子（３）を前記正規位置まで押し出すガイド部（４２２Ａ）が設けられ、
前記端子（３）には、前記ガイド部（４２２Ａ）により押し出されるガイド受け部（３１２）が設けられている、
コネクタ（１）。
［２］
［１］に記載のコネクタ（１）において、
前記ランス（４２２）のガイド部及び前記端子のガイド受け部の一方は、突起部（４２２Ａ）から構成され、他方は前記突起部（４２２Ａ）が挿入される溝部（３１２）から構成され、
前記突起部（４２２Ａ）及び前記溝部（３１２）の少なく一方が、前記交差方向（Ｙ）に対して斜めに傾いて延びて形成されている、
コネクタ（１）。
【符号の説明】
【００３６】
１  コネクタ
２  コネクタハウジング
３  端子
４  サイドリテーナ（リテーナ）
２１  端子収容室
３１２  溝部（ガイド受け部）
４２２  ランス
４２２Ａ  突起部（ガイド部）
Ｘ  前後方向（嵌合方向）
Ｙ  幅方向（交差方向）
【図１】
2020202074.tif 000003
【図２】
2020202074.tif 000004
【図３】
2020202074.tif 000005
【図４】
2020202074.tif 000006
【図５】
2020202074.tif 000007
【図６】
2020202074.tif 000008